(57)【特許請求の範囲】
【請求項１】
ユーザー装置ＵＥがバッファーステータスレポートＢＳＲを触発して、
現在の伝送時間間隔ＴＴＩに利用可能な、割り当てられた初回伝送用の上り共有チャンネルＵＬ−ＳＣＨリソースがないと確定し、まだＵＬ−ＳＣＨリソースのスケジューリンググラントを受け取らない、且つ触発された前記ＢＳＲに設定タイプのＢＳＲが含まれることを確定すると、ＳＲを触発する、或いは、
現在のＴＴＩに利用可能な、割り当てられた初回伝送用のＵＬ−ＳＣＨリソースがないと確定し、触発された前記ＢＳＲに設定タイプのＢＳＲが含まれ、且つ後続ＴＴＩに利用可能な、割り当てられた初回伝送用のＵＬ−ＳＣＨリソースがないことを確定すると、ＳＲを触発する、ということを特徴とするスケジューリングリクエストＳＲ触発方法。
【請求項２】
ＵＥがＳＲを触発して、
前記ＵＥが現在のＴＴＩに利用可能な、初回伝送用のＵＬ−ＳＣＨリソースがあるかどうかを判断する、有る場合、処理を待っている前記ＳＲをすべて取り消す、無い場合、前記ＵＥが前記ＳＲの送信に用いられる上り制御チャンネルリソースを割り当てられて、現在のＴＴＩにＳＲ送信に用いられる前記上り制御チャンネルリソースがあり、且つＳＲの最大送信回数に達しないことを確定と、前記上り制御チャンネルで前記ＳＲを送信する、ということを特徴とするスケジューリングリクエスト送信方法。
【請求項３】
前記ＵＥがＳＲを触発する前に、
ＵＥがＢＳＲを触発して、現在のＴＴＩに利用可能な、割り当てられた初回伝送用のＵＬ−ＳＣＨリソースがないと確定し、まだＵＬ−ＳＣＨリソースのスケジューリンググラントを受け取らない且つ触発された前記ＢＳＲに設定タイプのＢＳＲが含まれることを確定すると、ＳＲを触発する、或いは、
現在のＴＴＩに利用可能な、割り当てられた初回伝送用のＵＬ−ＳＣＨリソースがないと確定し、触発された前記ＢＳＲに設定ライプのＢＳＲが含まれ且つ後続ＴＴＩに利用可能な、割り当てられた初回伝送用のＵＬ−ＳＣＨリソースがないことを確定と、ＳＲを触発することをさらに含むことを特徴とする請求項２に記載のスケジューリングリクエスト送信方法。
【請求項４】
ＢＳＲを触発するためのＢＳＲ触発モジュールと、
現在のＴＴＩに利用可能な、割り当てられた初回伝送用のＵＬ−ＳＣＨリソースがないことを確定するためのリソース確定モジュールと、
さらに、
現在のＴＴＩに利用可能な、割り当てられた初回伝送用のＵＬ−ＳＣＨリソースがない場合、まだＵＬ−ＳＣＨリソースのスケジューリンググラントを受け取らないことを確定するためのグラント確定モジュールと、
まだＵＬ−ＳＣＨリソースのスケジューリンググラントを受け取らないと確定する場合、前記ＢＳＲに設定タイプのＢＳＲが含まれることを確定するためのＢＳＲ確定モジュールと、
前記ＢＳＲに設定タイプのＢＳＲが含まれると確定する場合、前記ＳＲを触発するためのＳＲ触発モジュールと、
或いは、さらに、
現在のＴＴＩに利用可能な、割り当てられた初回伝送用のＵＬ−ＳＣＨリソースがない場合、前記ＢＳＲに設定タイプのＢＳＲが含まれることを確定するためのＢＳＲ確定モジュールと、
前記ＢＳＲに設定タイプのＢＳＲが含まれると確定する場合、後続ＴＴＩに利用可能な、割り当てられた初回伝送用のＵＬ−ＳＣＨリソースがないことを確定するための後続リソース確定モジュールと、
後続ＴＴＩに利用可能な、割り当てられた初回伝送用のＵＬ−ＳＣＨリソースがない場合、ＳＲを触発するためのＳＲ触発モジュールと、を含むことを特徴とするスケジューリングリクエスト触発装置。
【請求項５】
ＵＥが現在のＴＴＩに利用可能な、割り当てられた初回伝送用のＵＬ−ＳＣＨリソースを持つかどうかを判断し、判断された結果を得るための判断モジュールと、
前記判断モジュールの判断結果が否定である場合、ＵＥが利用可能な、ＳＲ送信に用いられる上り制御チャンネルリソースを割り当てられて、現在のＴＴＩにＳＲ送信に用いられる前記上り制御チャンネルリソースがあることを確定するためのチャンネル確定モジュールと、
現在のＴＴＩにＳＲ送信に用いられる前記上り制御チャンネルリソースがある場合、ＳＲの最大送信回数に達しないことを確定し、前記上り制御チャンネルで前記ＳＲを送信するためのＳＲ送信モジュールと、を含むことを特徴とするスケジューリングリクエスト送信装置。
【請求項６】
前記判断モジュールの判断結果が肯定である場合、処理を待っている前記ＳＲをすべて取り消すためのＳＲ取消モジュールとをさらに含むを特徴とする請求項５に記載のスケジューリングリクエスト送信装置。
【請求項７】
ＢＳＲを触発するためのＢＳＲ触発モジュールと、
現在のＴＴＩに利用可能な、割り当てられた初回伝送用のＵＬ−ＳＣＨリソースがないことを確定するためのリソース確定モジュールと、
現在のＴＴＩに利用可能な、割り当てられた初回伝送用のＵＬ−ＳＣＨリソースがない場合、まだＵＬ−ＳＣＨリソースのスケジューリンググラントを受け取らないことを確定するためのグラント確定モジュールと、
まだＵＬ−ＳＣＨリソースのスケジューリンググラントを受け取らない場合、前記ＢＳＲに設定タイプのＢＳＲが含まれることを確定するためのＢＳＲ確定モジュールと、
前記ＢＳＲに設定タイプのＢＳＲが含まれると確定する場合、前記ＳＲを触発するためのＳＲ触発モジュールと、
或いは、
現在のＴＴＩに利用可能な、割り当てられた初回伝送用のＵＬ−ＳＣＨリソースがない場合、前記ＢＳＲに設定タイプのＢＳＲが含まれることを確定するためのＢＳＲ確定モジュールと、
前記ＢＳＲに設定タイプのＢＳＲが含まれると確定する場合、後続ＴＴＩに利用可能な、割り当てられた初回伝送用のＵＬ−ＳＣＨリソースがないことを確定するたの後続リソース確定モジュールと、
後続ＴＴＩに利用可能な、割り当てられた初回伝送用のＵＬ−ＳＣＨリソースがない場合、ＳＲを触発するためのＳＲ触発モジュールと、をさらに含むことを特徴とする請求項６に記載のスケジューリングリクエスト送信装置。
【発明の詳細な説明】
【技術分野】
【０００１】
本発明は、無線通信領域における上りリンクリソース割り当て技術、特に、無線ネットワークにおいてスケジューリングリクエスト（ＳＲ、Ｓｃｈｅｄｕｌｉｎｇ  Ｒｅｑｕｅｓｔ）を触発或は送信する方法及び装置に関する。
【背景技術】
【０００２】
第三世代移動通信ＬＴＥ（Ｌｏｎｇ  Ｔｅｒｍ  Ｅｖｏｌｕｔｉｏｎ）システムのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）において、上りリンクのデータは、上り共有チャンネル（ＵＬ−ＳＣＨ  、Ｕｐｌｉｎｋ  Ｓｈａｒｅｄ  Ｃｈａｎｎｅｌ）により伝送され、基地局によって上りリンクリソースを各ユーザー装置（ＵＥ、Ｕｓｅｒ  Ｅｑｕｉｐｍｅｎｔ）に割り当てられる。ＬＴＥシステムは、ユーザーの上り伝送への需要のために専門の上りリンクコントロールシグナルを設定する。上りリンクコントロールシグナルで、上りリンク無線リソース管理に関するコントロールシグナルはＳＲとＵＥバッファーステータスレポート（ＢＳＲ、Ｂｕｆｆｅｒ  Ｓｔａｔｕｓ  Ｒｅｐｏｒｔ）を含む。
【０００３】
ＬＴＥのメディアアクセス制御（ＭＡＣ、Ｍｅｄｉａ  Ａｃｃｅｓｓ  Ｃｏｎｔｒｏｌ）層のプロトコルにおいて、ＵＥが初めてＢＳＲを触発し、或いは前回にＢＳＲを送信した後、またＢＳＲを触発した場合に、ＵＥが現在の伝送時間間隔（ＴＴＩ、Ｔｒａｎｓｍｉｓｓｉｏｎ  Ｔｉｍｅ  Ｉｎｔｅｒｖａｌ）に利用可能な、割り当てられた初回伝送に用いられる上りリンクリソースを持たない、且つこのＢＳＲが一般ＢＳＲであると、ＳＲを触発するというＳＲの触発条件を規定する。既存技術におけるＳＲの触発流れは、図１に示すようなものである。具体的には、
ステップ１０１において、ＵＥが初めてＢＳＲを触発し、或いは前回にＢＳＲを送信した後、またＢＳＲを触発することを確認する。
【０００４】
ステップ１０２〜１０３において、ＵＥが現在のＴＴＩに利用可能な、割り当てられたＵＬ−ＳＣＨリソースを持つかどうかを判断する、持つ場合、ステップ１０３を実行して、割り当てられたＵＬ−ＳＣＨのリソースの上でＢＳＲを送信する、持たない場合、ステップ１０５を実行する。
【０００５】
ステップ１０４において、その他の全ての触発されたＢＳＲを取り消して、ステップ１０７を実行して、次のＴＴＩを待っている。
【０００６】
ステップ１０５〜１０６において、触発されたＢＳＲに一般ＢＳＲがあるかどうかを判断する、有る場合、ステップ１０６を実行して、ＳＲを触発する、無い場合、ステップ１０７を実行して、次のＴＴＩを待っている。
【０００７】
ＳＲの送信は、上り制御チャンネルを用いることを必要とする。この上り制御チャンネルのリソースは、基地局によって予め割り当てられる。図２は、既存技術におけるＳＲ送信の流れを示す図である。具体的な処理の流れは、以下のステップ２０１〜２１０を含む。
【０００８】
ステップ２０１において、ＵＥは、ＳＲを触発する。
【０００９】
ステップ２０２において、ＵＥが現在のＴＴＩに利用可能な、割り当てられたＵＬ−ＳＣＨリソースを持つかどうかを判断する、持つ場合、ステップ２０３を実行する、持たない場合、ステップ２０５を実行する。
【００１０】
ステップ２０３〜２０４において、ＵＥが現在のＴＴＩにＵＬ−ＳＣＨリソースのスケジューリンググラントを受け取ったかどうかを判断する、受け取った場合、処理を待っているＳＲをすべて取り消す、受け取らない場合、ステップ２１１を実行して、次のＴＴＩを待っていて、判断を引き続き行う。
【００１１】
ステップ２０５〜２０６において、ＵＥがいかなるＴＴＩでもＳＲ送信に用いられる上りチャンネルリソースを割り当てられないかどうかを判断する、割り当てられない場合、ランダムアクセスプロセスを起動させ、処理を待っているＳＲをすべて取り消す、割り当てられた場合、ステップ２０７を実行する。
【００１２】
ステップ２０７において、ＵＥが現在のＴＴＩにＳＲ送信に用いられる上り制御チャンネルのリソースを持つかどうかを判断する、持つ場合、ステップ２０８を実行する、持たない場合、ステップ２１１を実行して、次のＴＴＩを待っていて、判断を引き続き行う。
【００１３】
ステップ２０８において、ＳＲの最大送信回数に達したかどうかを判断する、ＵＥが一つの固定な周期内に基地局からのＵＬ−ＳＣＨリソースのスケジューリンググラントを受け取らない、即ち利用可能なＵＬ−ＳＣＨリソースがないと、ＵＥがＳＲの最大送信回数までＳＲを複数回送信する、。最大送信回数に達した場合、ステップ２０９を実行する、達しない場合、ステップ２１０を実行する。
【００１４】
ステップ２０９において、ＵＥが上り制御チャンネルリソースを解放して、ランダムアクセスプロセス
を起動させ、処理を待っているＳＲをすべて取り消す。
ステップ２１０において、上り制御チャンネルでＳＲを送信してから、ステップ２１１を実行し、次のＴＴＩを待っている。
【００１５】
図１、図２に示すように、既存ＬＴＥのＭＡＣ層のプロトコルに規定されるＳＲの触発及び送信メカニズムがまだ完全ではないため、ＵＥが基地局からフィード・バックしたリソースのスケジューリンググラントを受け取るから、ＵＥが利用可能なＵＬ−ＳＣＨリソースを持つまでは、まだしばらくの時間間隔が存在する。この時間間隔に一般ＢＳＲを触発すると、それによりＳＲを触発させる、また、この時間間隔にこのＵＥは利用可能な上り制御チャンネルを持つと、ＳＲが送信される。しかし、このＵＥが基地局からフィード・バックしたリソースのスケジューリンググラントを受け取ったため、このＳＲ送信は完全に要らないものになる。図３は、既存技術におけるＳＲ触発・送信の実施例のシーケンスチャートである。図３において、１グリッドはシーケンスの１ＴＴＩを示す。基地局は５ＴＴＩごとにＵＥへＳＲ送信用の上り制御チャンネルのリソースを１回割り当てる。即ちＳＲの送信周期は５ＴＴＩである。
【００１６】
イベント３０１において、ＵＥは、一般ＢＳＲ１を触発して、次にＳＲ１を触発する。
【００１７】
イベント３０２において、ＳＲの送信周期が来ると、ＵＥは、基地局へＳＲ１を送信し、ＵＬ−ＳＣＨリソースのスケジューリンググラントを要求する。
【００１８】
イベント３０３において、ＳＲ送信周期がまた来ると、ＵＥは、ＵＬ−ＳＣＨリソースのスケジューリンググラントを受け取らないため、再度ＳＲ１を送信する。
【００１９】
イベント３０４において、ＵＥは、このＴＴＩにＵＬ−ＳＣＨリソースのスケジューリンググラントを受け取ったため、処理を待っているＳＲ１を取り消す、即ちＳＲ１を送信しない。
【００２０】
イベント３０５において、ＵＥは、一般ＢＳＲ２を触発する、ＵＥがこのＴＴＩに利用可能なＵＬ−ＳＣＨリソースを持たないため、ＳＲ２を触発した。
【００２１】
イベント３０６において、ＳＲの送信周期が来たため、ＵＥは、このＴＴＩに上り制御チャンネルによりＳＲ２を送信する。
【００２２】
イベント３０７において、ＵＥは、このＴＴＩに利用可能なＵＬ−ＳＣＨリソースを持つ。
【００２３】
イベント３０８において、ＵＥは、ＢＳＲ２を送信する。
【００２４】
上記プロセスに示すように、ＵＥはイベント３０４の所在ＴＴＩに基地局からフィード・バックしたＵＬ−ＳＣＨリソースのスケジューリンググラントを既に受け取ったため、イベント３０６のＴＴＩに送信されるＳＲ２は、完全に要らないものになる。これにより、上りコントロールシグナルのオーバーヘッドを増大させる。また、基地局がこのＳＲ２に対して再度応答する可能性があって、このＵＥのためにまたその他のＵＬ−ＳＣＨリソースを割り当てる、従って、システムの帯域幅を浪費させて、システムのスペクトル効率に影響を与える。
【発明の概要】
【発明が解決しようとする課題】
【００２５】
上述した問題点に鑑み、本発明の目的は、システム・オーバーヘッドを減少し、システムのスペクトラ効率を向上させるように、無線ネットワークにおけるスケジューリングリクエストを触発或いは送信する方法及び装置を提供することにある。
【課題を解決するための手段】
【００２６】
上記の目的を達成するために、本発明の技術案が以下の通りに実現される。
【００２７】
本発明の一実施態様に係るスケジューリングリクエストＳＲ触発方法は、ユーザー装置ＵＥがバッファーステータスレポートＢＳＲを触発して、さらに、
現在の伝送時間間隔ＴＴＩに利用可能な、割り当てられた初回伝送用の上り共有チャンネルＵＬ−ＳＣＨリソースがないと確定し、まだＵＬ−ＳＣＨリソースのスケジューリンググラントを受け取らない、且つ触発された前記ＢＳＲに設定タイプのＢＳＲが含まれると確定する場合、ＳＲを触発する、或いは、
現在のＴＴＩに利用可能な、割り当てられた初回伝送用のＵＬ−ＳＣＨリソースがないと確定し、触発された前記ＢＳＲに設定タイプのＢＳＲが含まれ、且つ後続ＴＴＩに利用可能な、割り当てられた初回伝送用のＵＬ−ＳＣＨリソースがないと確定する場合、ＳＲを触発する。
【００２８】
本発明の他の実施態様に係るスケジューリングリクエスト送信方法は、ＵＥがＳＲを触発して、さらに、
前記ＵＥは現在のＴＴＩに利用可能な、割り当てられた初回伝送用のＵＬ−ＳＣＨリソースを持つかどうかを判断する、持つ場合、処理を待っている前記ＳＲをすべて取り消す、持たない場合、前記ＵＥが前記ＳＲの送信に用いられる上り制御チャンネルリソースを割り当てられて、現在のＴＴＩにＳＲ送信に用いられる前記上り制御チャンネルリソースがあることを確定する、且つ、ＳＲの最大送信回数に達しない場合、前記上り制御チャンネルで前記ＳＲを送信する。
【００２９】
前記ＵＥがＳＲを触発する前に、
ＵＥがＢＳＲを触発して、現在のＴＴＩに利用可能な、割り当てられた初回伝送用のＵＬ−ＳＣＨリソースがないと確定し、まだＵＬ−ＳＣＨリソースのスケジューリンググラントを受け取らない且つ触発された前記ＢＳＲに設定タイプのＢＳＲが含まれると確定する場合、ＳＲを触発する、或いは、
現在のＴＴＩに利用可能な、割り当てられた初回伝送用のＵＬ−ＳＣＨリソースがないと確定し、触発された前記ＢＳＲに設定タイプのＢＳＲが含まれ且つ後続ＴＴＩに利用可能な、割り当てられた初回伝送用のＵＬ−ＳＣＨリソースがないと確定する場合、ＳＲを触発する。
【００３０】
本発明の他の実施態様に係るスケジューリングリクエスト触発装置は、ＢＳＲを触発するためのＢＳＲ触発モジュールと、
現在のＴＴＩに利用可能な、割り当てられた初回伝送用のＵＬ−ＳＣＨリソースがないと確定するためのリソース確定モジュールと、
さらに、
現在のＴＴＩに利用可能な、割り当てられた初回伝送用のＵＬ−ＳＣＨリソースがない場合、ＵＬ−ＳＣＨリソースのスケジューリンググラントを受け取らないことを確定するためのグラント確定モジュールと、
まだＵＬ−ＳＣＨリソースのスケジューリンググラントを受け取らないと確定する場合、前記ＢＳＲに設定タイプのＢＳＲが含まれることを確定するためのＢＳＲ確定モジュールと、
前記ＢＳＲに設定のタイプのＢＳＲが含まれる場合、前記ＳＲを触発するためのＳＲ触発モジュールと、
或いは、さらに、
現在のＴＴＩに利用可能な、割り当てられた初回伝送用のＵＬ−ＳＣＨリソースがない場合、前記ＢＳＲに設定タイプのＢＳＲが含まれることを確定するためのＢＳＲ確定モジュールと、
前記ＢＳＲに設定タイプのＢＳＲが含まれると確定する場合、後続ＴＴＩに利用可能な、割り当てられた初回伝送用のＵＬ−ＳＣＨリソースがないことを確定するための後続リソース確定モジュールと、
後続ＴＴＩに利用可能な、割り当てられた初回伝送用のＵＬ−ＳＣＨリソースがない場合、ＳＲを触発するためのＳＲ触発モジュールと、を含む。
【００３１】
本発明の他の実施態様に係るスケジューリングリクエスト送信装置は、
ＵＥが現在のＴＴＩに利用可能な、割り当てられた初回伝送用のＵＬ−ＳＣＨリソースを持つかどうかを判断し、判断された結果を得るための判断モジュールと、
前記判断モジュールの判断結果が否定である場合、ＵＥがＳＲ送信に用いられる上り制御チャンネルリソースを割り当てられて、現在のＴＴＩにＳＲ送信に用いられる前記上り制御チャンネルリソースがあることを確定するためのチャンネル確定モジュールと、
現在のＴＴＩにＳＲ送信に用いられる前記上り制御チャンネルリソースがある場合、ＳＲの最大送信回数に達しないことを確定し、前記上り制御チャンネルで前記ＳＲを送信するためのＳＲ送信モジュールと、
さらに、
前記判断モジュールの判断結果が肯定である場合、処理を待っている前記ＳＲをすべて取り消すためのＳＲ取消モジュールと、
さらに、
ＢＳＲを触発するためのＢＳＲ触発モジュールと、
現在のＴＴＩに利用可能な、割り当てられた初回伝送用のＵＬ−ＳＣＨリソースがないことを確定するためのリソース確定モジュールと、
さらに、
現在のＴＴＩに利用可能な、割り当てられた初回伝送用のＵＬ−ＳＣＨリソースがない場合、まだＵＬ−ＳＣＨリソースのスケジューリンググラントを受け取らないことを確定するためのグラントグラント確定モジュールと、
まだＵＬ−ＳＣＨリソースのスケジューリンググラントを受け取らないと確定する場合、前記ＢＳＲに設定タイプのＢＳＲが含まれることを確定するためのＢＳＲ確定モジュールと、
前記ＢＳＲに設定タイプのＢＳＲが含まれると確定する場合、前記ＳＲを触発するためのＳＲ触発モジュールと、
或いは、さらに
現在のＴＴＩに利用可能な、割り当てられた初回伝送用のＵＬ−ＳＣＨリソースがない場合、前記ＢＳＲに設定タイプのＢＳＲが含まれることを確定するためのＢＳＲ確定モジュールと、
前記ＢＳＲに設定タイプのＢＳＲが含まれると確定する場合、後続ＴＴＩに利用可能な、割り当てられた初回伝送用のＵＬ−ＳＣＨリソースがないことを確定するための後続リソース確定モジュールと、
後続ＴＴＩに利用可能な、割り当てられた初回伝送用のＵＬ−ＳＣＨリソースがない場合、ＳＲを触発するためのＳＲ触発モジュールと、を含む。
【発明の効果】
【００３２】
本発明は、それぞれにＳＲの触発流れと送信流れから既存技術に対して改良を実施して、ＵＬ−ＳＣＨリソースのスケジューリンググラント、後続ＵＬ−ＳＣＨリソースなどに関する判断を追加して、ＵＥの現在状態を正確に判断することができる、必要なＳＲのみを触発或いは送信するため、システム・オーバーヘッドを節約することができるだけではなく、基地局がＵＥが送信した不要なＳＲに応答することを回避することもできる、従って、ＵＥのために余分なＵＬ−ＳＣＨリソースを割り当てるとともに、システムの帯域幅を節約して、システムのスペクトル効率を向上させる。
【図面の簡単な説明】
【００３３】
【図１】既存技術におけるＳＲ触発の流れを示す図である。
【図２】既存技術におけるＳＲ送信の流れを示す図である。
【図３】既存技術におけるＳＲ触発・送信一実施例のシーケンスチャートである。
【図４】本発明の実施例１に係るＳＲ触発方法の流れを示す図である。
【図５】本発明の実施例２に係るＳＲ触発方法の流れを示す図である。
【図６】本発明の一実施例に係るＳＲ送信方法の流れを示す図である。
【図７】本発明の実施例１に係るＳＲ触発装置の構造関係を示す図である。
【図８】本発明の実施例２に係るＳＲ触発装置の構造関係を示す図である。
【図９】本発明の実施例１に係るＳＲ触発・送信装置の構造関係を示す図である。
【図１０】本発明の実施例２に係るＳＲ触発・送信装置の構造関係を示す図である。
【発明を実施するための形態】
【００３４】
以下、図面と具体的な実施例を参照しつつ本発明の技術案に対して詳細に説明する。
【００３５】
ＬＴＥシステムにおいて、ＵＥは、ＵＬ−ＳＣＨで伝送する新しいデータがあると、ＳＲを送信することで基地局に知らせて、基地局にＵＥのために初回伝送用のＵＬ−ＳＣＨリソースを割り当てることを要求する。基地局は、このＵＥのために初回伝送用のＵＬ−ＳＣＨリソースを割り当てることができると確定した後、ＵＥのために初歩的なＵＬ−ＳＣＨリソースのスケジューリンググラントを送信する。ＵＥは、ＵＬ−ＳＣＨリソースのスケジューリンググラントで指示した初回伝送用のＵＬ−ＳＣＨリソースに基づいて基地局へＢＳＲを送信して、基地局に処理待ちのデータ量を知らせる、また、基地局にＵＥのために初回伝送用の最適なＵＬ−ＳＣＨリソースを割り当てることを要求する。
【００３６】
以下、具体的な実施例により本発明に係るＳＲ触発の処理流れを説明する。
【００３７】
図４は、本発明にの実施例１係るＳＲ触発方法の流れを示す図である。図４に示すように、具体的な流れは以下を含む。
【００３８】
ステップ４０１において、ＵＥは、初めてＢＳＲを触発し、或いは前回にＢＳＲを送信した後、またＢＳＲを触発した。
【００３９】
ＵＥはＵＬ−ＳＣＨで伝送するデータがあると、ＵＥは、まずＳＲを触発する必要である。ＬＴＥシステムにおいては、ＵＥが初めてＢＳＲを触発し、或いは前回にＢＳＲを触発した後、またＢＳＲを触発した場合、現在のＴＴＩに利用可能な、割り当てられたＵＬ−ＳＣＨリソースを持たない、且つ触発されたＢＳＲに一般ＢＳＲが含まれると、ＳＲを触発するという前提条件を規定する。
【００４０】
ＬＴＥのＭＡＣ層プロトコルの規定で、触発条件により、ＢＳＲは一般ＢＳＲ、周期ＢＳＲ、パディングＢＳＲの３種類に設定することができる。
【００４１】
その中、一般ＢＳＲを触発するイベントはたくさんある、利用可能なデータが伝送待ちで、ＵＥのバッファは空いている場合、優先度の高い利用可能なデータが伝送待ちで、ＵＥのバッファ内に伝送待ちの利用可能なデータの優先度が低い場合、ＵＥが所属するサービングセルが変更された場合、ＢＳＲ再送信のタイマーはタイムアウトになるが、ＵＥに利用可能な伝送待ちのデータがある場合を含む。
【００４２】
周期ＢＳＲを触発するイベントは、周期的ＢＳＲのタイマーがタイムアウトになる場合を含む。
【００４３】
パディングＢＳＲを触発するイベントは、ＵＥが上りリンクの割り当てリソースを受け取った、且つパディングビットのビット数がＢＳＲ  ＭＡＣ層コントロールユニットのサイズよりも以上である場合を含む。
【００４４】
ここで指摘したいことは、本発明におけるＳＲの触発条件は、一般ＢＳＲを触発することに限らない、その他の設定タイプのＢＳＲにも適用することができる、当然、その他のＳＲを触発することができるイベントにも適用することができる。本発明において一般ＢＳＲの触発を例にしてＳＲ触発の具体的な流れを説明する。
【００４５】
ステップ４０２において、ＵＥが現在のＴＴＩに利用可能な、割り当てられた初回伝送用のＵＬ−ＳＣＨリソースを持つかどうかを判断する、持つ場合、ステップ４０３を実行する、持たない場合、ステップ４０５を実行する。
【００４６】
基地局が現在のＴＴＩにＵＥへ初回伝送用のＵＬ−ＳＣＨリソースを割り当てたかどうかを判断する。
【００４７】
基地局から割り当てられたＵＬ−ＳＣＨリソースのスケジューリンググラントを受け取ると、ＵＥは、関連する記録情報を生成する。ＵＥは、グラントを受け取った後、グラント内容を解読するために、一定のデコード時間が必要になる。グラント内容からＵＥがどのＴＴＩに利用可能な初回伝送用のＵＬ−ＳＣＨリソースを受け取られるかが分かる。普通の場合、このデコード時間は１ＴＴＩより以上である。
【００４８】
ステップ４０３において、割り当てられたＵＬ−ＳＣＨリソースの上でＢＳＲを送信する。
【００４９】
ＵＥが基地局から割り当てられた初回伝送用のＵＬ−ＳＣＨリソースを受け取った場合、このＴＴＩに割り当てられた初回伝送用のＵＬ−ＳＣＨリソースでＵＥが触発したＢＳＲを送信することにより、基地局にＵＥの伝送待ちのデータ量を知らせ、基地局にＵＥのためにサイズが適当なＵＬ−ＳＣＨを割り当てることを要求する。
【００５０】
ＢＳＲを送信する場合、ＵＥは複数のＢＳＲを触発したかもしれないが、具体的にどの触発されたＢＳＲを送信するかは、設定の計算方法により選択する。直近に触発されたＢＳＲを送信する方がより好適的である。これは、このＢＳＲが現在のＵＥの伝送待ちのデータ量を正確に反映することができるためである。
【００５１】
ステップ４０４において、触発されたＢＳＲをすべて取り消して、ステップ４０８を実行して、次のＴＴＩを待って後続の操作を行う。
【００５２】
ＵＥは、ＢＳＲを基地局に送信した後、この前に触発した全てのＢＳＲを取り消すことで、後の処理にはＵＥがこれらのＢＳＲのうちのあるＢＳＲを基地局に再度送信し、システム・オーバーヘッドを増大させることを回避するようになる。同時に基地局がこのＢＳＲに対して応答して、ＵＥのために不必要なＵＬ−ＳＣＨリソースを割り当てることも回避するようになる。
【００５３】
ステップ４０５において、ＵＥがＵＬ−ＳＣＨリソースのスケジューリンググラントを受け取ったかどうかを判断する。受け取った場合、ステップ４０８を実行し、次のＴＴＩを待つ、ＵＥが割り当てられたＵＬ−ＳＣＨリソースを受け取ると、ＢＳＲを送信する。受け取らない場合、ステップ４０６を実行する。
【００５４】
ＵＥが現在のＴＴＩに基地局から割り当てられたＵＬ−ＳＣＨリソースを受け取らないと、ＵＥがこのＴＴＩ時点まで基地局から送信されたＵＬ−ＳＣＨリソースのスケジューリンググラントを受け取ったかどうかを判断する。
【００５５】
既存技術の流れに比べて、本発明はステップ４０５の判断を追加した。このステップの判断により、これまでＵＥがＵＬ−ＳＣＨリソースを受け取ったかが分かる、受け取った場合、基地局がこの前にＵＥが送信したＳＲに応答したことを説明する、ＵＥは必ずスケジューリンググラントを受け取ったＴＴＩの後のｎつ目のＴＴＩにＵＬ−ＳＣＨリソースを受け取らなければならない。そのため、ＵＥは、ＵＬ−ＳＣＨリソースのスケジューリンググラントを受け取るからＵＬ−ＳＣＨリソースを受け取るまでの時間内に、ＳＲを触発し送信することはしない、このようにシステム・オーバーヘッドを節約させる。
【００５６】
ステップ４０６において、触発されたＢＳＲに一般ＢＳＲがあるかどうかを判断する。有る場合、ステップ４０７を実行する。無い場合、ステップ４０８を実行して、次のＴＴＩを待って、ＵＥが利用可能な、割り当てられたＵＬ−ＳＣＨリソースを持つかどうかを引き続き判断する。
【００５７】
ＢＳＲが一般ＢＳＲ又は周期ＢＳＲ或いは他のタイプのＢＳＲに属するかの判断は、ＢＳＲを触発するイベントに基づいて実施することができる。例えば、触発するイベントによりＢＳＲに対応するマークをつけて、マークでＢＳＲのタイプを区分することができる。当然、ＢＳＲのタイプを判断する方法はこれのみに限られない。
【００５８】
ステップ４０７において、ＳＲを触発する。
【００５９】
ＵＥは、触発された一般ＢＳＲに基づいてＳＲを触発する。
【００６０】
図４に示すＳＲの触発方法を実現するために、本発明は、図７に示す装置を提供する。図７は本発明の実施例１に係るＳＲ触発装置の構造関係を示す図である。
【００６１】
ＢＳＲ触発モジュール７１は、ＢＳＲを触発することに用いられる。具体的には、ＵＥは初めてＢＳＲを触発し、或いは前回にＢＳＲを触発した後、またＢＳＲを触発した。
【００６２】
リソース確定モジュール７２は、現在のＴＴＩに利用可能な、割り当てられたＵＬ−ＳＣＨリソースがないことを確定することに用いられる。
【００６３】
グラント確定モジュール７３は、現在のＴＴＩに利用可能な、割り当てられたＵＬ−ＳＣＨリソースがないと確定する場合、まだＵＬ−ＳＣＨリソースのスケジューリンググラントを受け取らないことを確定することに用いられる。
【００６４】
ＢＳＲ確定モジュール７４は、まだＵＬ−ＳＣＨリソースのスケジューリンググラントを受け取らないと確定する場合、触発されたＢＳＲに設定タイプのＢＳＲが含まれることを確定することに用いられる。
【００６５】
ＳＲ触発モジュール７５は、触発されたＢＳＲに一般ＢＳＲが含まれると確定する場合、ＳＲを触発することに用いられる。
【００６６】
図５は本発明の実施例２に係るＳＲ触発方法の流れを示す図である。図５に示すように、
ステップ５０１〜ステップ５０４と図４でのステップ４０１〜４０４が同じため、ここではもう贅言しない。
【００６７】
ステップ５０５において、触発されたＢＳＲに一般ＢＳＲがあるかどうかを判断する、有る場合、ステップ５０６を実行する、無い場合、ステップ５０８を実行して、次のＴＴＩを待って、ＵＥが利用可能な、割り当てられたＵＬ−ＳＣＨリソースを持つかどうかを引き続き判断する。
【００６８】
ＵＥが現在のＴＴＩに基地局から割り当てられたＵＬ−ＳＣＨリソースを受け取らないと、触発されたＢＳＲに一般ＢＳＲがあるかどうかを判断する。このステップの判断と図４におけるステップ４０６の判断方法が同じため、ここではもう贅言しない。
【００６９】
ステップ５０６において、ＵＥが後続ＴＴＩに利用可能な、初回伝送用のＵＬ−ＳＣＨリソースを持つかどうかを判断する、持たない場合、ステップ５０７を実行する、持つ場合、ステップ５０８を実行する。
【００７０】
基地局は、ＵＥが送信したＳＲに応答して、ＵＥへＵＬ−ＳＣＨリソースのスケジューリンググラントを送信する。ＵＥは、ＵＬ−ＳＣＨリソースのスケジューリンググラントを受け取ると、関連する記録情報を生成する。ＵＥは、グラントを受け取った後、グラント内容を解読するために、一定のデコード時間が必要になる。グラントされた内容からＵＥがどのＴＴＩに利用可能な初回伝送用のＵＬ−ＳＣＨリソースを受け取られるかが分かる。普通の場合、このデコード時間は１ＴＴＩより以上である。
【００７１】
ＵＥは現在のＴＴＩに現在のＴＴＩまで基地局から送信されたＵＬ−ＳＣＨリソースのスケジューリンググラントを受け取ったかどうかを判断することができる。このグラントに基づいて、ＵＥが後続のＴＴＩに基地局から割り当てられた初回伝送用のＵＬ−ＳＣＨリソースを受け取られるかどうかを判断することができる。ＵＥが後続のＴＴＩに利用可能な、割り当てられた初回伝送用のＵＬ−ＳＣＨリソースを持つことが判断できると、現在のＴＴＩから、更にＳＲを触発し送信することはしない、このようにシステム・オーバーヘッドを節約させる。
【００７２】
持つ場合、基地局がこの前にＵＥが送信したＳＲに応答したことを表す、ステップ５０８を実施して、次のＴＴＩを待って、割り当てられた初回伝送用のＵＬ−ＳＣＨリソースが来るＴＴＩにＢＳＲを送信する。持たない場合、基地局がこの前にＵＥが送信したＳＲに応答しない或いはまだ基地局へＳＲを送信しないことを表す、ステップ５０７を実行して、ＵＥは触発された一般ＢＳＲに基づいてＳＲを触発する。
【００７３】
図５に示すＳＲ触発方法を実現するために、本発明は図８に示す装置を提供する。図８は本発明の実施例２に係るＳＲ触発装置の構成関係を示す図である。
【００７４】
ＢＳＲ触発モジュール７１は、ＢＳＲを触発することに用いられる。具体的には、ＵＥは初めてＢＳＲを触発し、或いは前回にＢＳＲを送信した後、またＢＳＲを触発した。
【００７５】
リソース確定モジュール７２は、現在のＴＴＩに利用可能な、割り当てられたＵＬ−ＳＣＨリソースがないことを確定することに用いられる。
【００７６】
ＢＳＲ確定モジュール７４は、現在のＴＴＩに利用可能な、割り当てられたＵＬ−ＳＣＨリソースがない場合、触発されたＢＳＲに設定タイプのＢＳＲが含まれることを確定することに用いられる。
【００７７】
後続リソース確定モジュール８１は、触発されたＢＳＲに設定タイプのＢＳＲが含まれると確定する場合、後続ＴＴＩに利用可能な、割り当てられたＵＬ−ＳＣＨがないことを確定することに用いられる。
【００７８】
ＳＲ触発モジュール７５は、後続ＴＴＩに利用可能な、割り当てられたＵＬ−ＳＣＨがない場合、ＳＲを触発することに用いられる。
【００７９】
以下に具体的な実施例により本発明に係るＳＲ送信処理の流れを説明する。
【００８０】
図６は本発明の一実施例に係るＳＲ送信方法の流れを示す図である。図６に示すように、
ステップ６０１において、ＵＥは、ＳＲを触発する。
ステップ６０２〜６０３において、ＵＥが現在のＴＴＩに利用可能な、割り当てられた初回伝送用のＵＬ−ＳＣＨリソースを持つかどうかを判断する、持つ場合、ステップ６０３を実行して、処理を待っているＳＲをすべて取り消す、持たない場合、ステップ６０４を実行する。
【００８１】
ＵＥがＳＲを触発した後、ＵＥが現在のＴＴＩに利用可能な、割り当てられた初回伝送用のＵＬ−ＳＣＨリソースを持つかどうかを判断する。持つ場合、基地局がＵＥがこの前に送信したＳＲに応答して、ＵＥのために初回伝送用のＵＬ−ＳＣＨを割り当てたことを表す、ステップ６０３を実行し、処理を待っているＳＲをすべて取り消す。持たない場合、ステップ６０４を実行する。
【００８２】
ステップ６０４〜６０５において、ＵＥがいかなるＴＴＩでも割り当てられたＳＲ送信に用いられる上り制御チャンネルリソースを持たないかどうかを判断する。持たない場合、ステップ６０５を実行して、ランダムアクセスプロセスを起動させ、処理を待っているＳＲをすべて取り消す。持つ場合、ステップ６０６を実行する。
【００８３】
ＵＥは、上り制御チャンネルにより基地局へＳＲを送信する。上り制御チャンネルリソースは基地局からＵＥへ割り当てられる。ＵＥが上り制御チャンネルリソースを割り当てられると、関連する記録情報が生成される。或いは、必要に応じてＵＥのために上り制御チャンネルリソースを割り当てる周期、即ちＳＲの送信周期を１つ設定することができる。１つの周期は少なくとも１つのＴＴＩを含む、当然、他の方式があってもよい。これらの情報に基づいて、ＵＥが現在のＴＴＩまで上り制御チャンネルリソースを割り当てられたかどうかを判断することができる。割り当てられない場合、ＵＥと基地局との接続が正常でない可能性があることを表す、ＵＥはランダムアクセスプロセスを起動させ、再度基地局と接続して、処理を待っているＳＲをすべて取り消す。
【００８４】
ステップ６０６において、ＵＥが現在のＴＴＩにＳＲ送信に用いられる上り制御チャンネルリソースを持つかどうかを判断する。持たない場合、ステップ６１０を実行して、次のＴＴＩを待って、ＵＥが現在のＴＴＩにＳＲ送信に用いられる上り制御チャンネルリソースを持つかどうかを引き続き判断する。持つ場合、ステップ６０７を実行する。
【００８５】
ＵＥはＳＲ送信に用いられる上り制御チャンネルリソースを割り当てられると、ＵＥと基地局との接続が正常であることを表す。その後、ＵＥが現在のＴＴＩにＳＲ送信に用いられる上り制御チャンネルリソースを持つかどうかを判断する。
【００８６】
ステップ６０７〜６０８において、ＳＲの最大送信回数に達したかどうかを判断する。達した場合、ステップ６０８を実行し、ＵＥは上り制御チャンネルリソースを解放して、ランダムアクセスプロセスを起動させ、処理を待っているＳＲをすべて取り消す。達しない場合、ステップ６０９を実行する。
【００８７】
必要に応じて、ｎつのＴＴＩごとにＳＲを１回送信し、且つＳＲの最大送信回数がｍであることを設定することができる。その中、ｎ、ｍは自然数である。ＵＥが現在のＴＴＩにＳＲ送信に用いられる上り制御チャンネルリソースを持つ場合、第１回のＳＲ送信から現在のＴＴＩまでのＵＥのＳＲ送信回数を計算する。この回数がＳＲの最大送信回数に達すると、ＵＥと基地局との接続が正常ではないことを表す、ＵＥは上り制御チャンネルリソースを解放して、ランダムアクセスプロセスを起動させ、処理を待っているＳＲをすべて取り消す。この回数がＳＲの最大送信回数に達しないと、ステップ６０９を実行する。
【００８８】
ステップ６０９〜６１０において、上り制御チャンネルでＳＲを送信した後、次のＴＴＩを待って、当該流れをループで実行する。
【００８９】
ＵＥは、現在のＴＴＩに上り制御チャンネルによりＳＲを送信する、即ち、基地局へＳＲを送信する、その後、次のＴＴＩから当該流れをループで実行する。
【００９０】
その中、図６に示すＳＲ送信方法の流れは、それぞれ図４或いは図５に示すＳＲ触発方法の流れと組み合わせて、ＳＲを触発し送信する方法の流れを構成することができる。この方法の流れを実現するために、本発明はＳＲを触発し送信する装置を提供する。図９は本発明の実施例１に係るＳＲ触発・送信装置の構造関係を示す図である。
【００９１】
ＢＳＲ触発モジュール７１  は、ＢＳＲを触発することに用いられる。具体的には、ＵＥは初めてＢＳＲを触発し、或いは前回にＢＳＲを触発した後、またＢＳＲを触発した。
【００９２】
リソース確定モジュール７２は、現在のＴＴＩに利用可能な、割り当てられたＵＬ−ＳＣＨリソースがないことを確定することに用いられる。
【００９３】
グラント確定モジュール７３は、現在のＴＴＩに利用可能な、割り当てられたＵＬ−ＳＣＨリソースがないと確定する場合、まだＵＬ−ＳＣＨリソースのスケジューリンググラントを受け取らないことを確定することに用いられる。
【００９４】
ＢＳＲ確定モジュール７４は、まだＵＬ−ＳＣＨリソースのスケジューリンググラントを受け取らないと確定する場合、触発されたＢＳＲに設定タイプのＢＳＲが含まれること確定をすることに用いられる。
【００９５】
ＳＲ触発モジュール７５は、触発されたＢＳＲに設定タイプのＢＳＲが含まれると確定する場合、ＳＲを触発することに用いれる。
【００９６】
判断モジュール９１は、ＳＲを触発した後、ＵＥが現在のＴＴＩに利用可能な、割り当てられた初回伝送用のＵＬ−ＳＣＨリソースを持つかどうかを判断し、判断された結果を得ることに用いられる。
【００９７】
ＳＲ取消モジュール９２は、判断モジュールの判断結果が肯定である場合、処理を待っているＳＲをすべて取り消すことに用いられる。
【００９８】
チャンネル確定モジュール９３は、判断モジュールの判断結果が否定である場合、ＵＥがＳＲ送信に用いられる上り制御チャンネルリソースを割り当てられて、現在のＴＴＩにＳＲ送信に用いられる前記上り制御チャンネルリソースがあることを確定することに用いられる。
【００９９】
ＳＲ送信モジュール９４は、現在のＴＴＩにＳＲ送信に用いられる上り制御チャンネルリソースがある場合、ＳＲの最大送信回数に達しないことを確定し、上り制御チャンネルでＳＲを送信することに用いられる。
【０１００】
図１０は本発明の実施例２に係る触発・送信装置の構造関係を示す図である。図１０に示すように、
ＢＳＲ触発モジュール７１は、ＢＳＲを触発することに用いられる。具体的には、ＵＥは、初めてＢＳＲを触発し、或いは前回にＢＳＲを送信した後、またＢＳＲを触発した。
【０１０１】
リソース確定モジュール７２は、現在のＴＴＩに利用可能な、割り当てられたＵＬ−ＳＣＨリソースがないことを確定することに用いられる。
【０１０２】
ＢＳＲ確定モジュール７４は、現在のＴＴＩに利用可能な、割り当てられたＵＬ−ＳＣＨリソースがない場合、触発されたＢＳＲに設定タイプのＢＳＲが含まれることを確定することに用いられる。
【０１０３】
後続リソース確定モジュール８１は、触発されたＢＳＲに設定タイプのＢＳＲが含まれると確定する場合、後続ＴＴＩに利用可能な、割り当てられたＵＬ−ＳＣＨリソースがないことを確定することに用いられる。
【０１０４】
ＳＲ触発モジュール７５は、後続ＴＴＩに利用可能な、割り当てられたＵＬ−ＳＣＨリソースがない場合、ＳＲを触発すること用いられる。
【０１０５】
判断モジュール９１は、ＳＲを触発した後、ＵＥが現在のＴＴＩに利用可能な、割り当てられ初回伝送用のＵＬ−ＳＣＨリソースを持つかどうかことを判断し、判断された結果を得ることに用いられる。
【０１０６】
ＳＲ取消モジュール９２は、判断モジュールの判断結果が肯定である場合、処理を待っているＳＲをすべて取り消すことに用いられる。
【０１０７】
チャンネル確定モジュール９３は、判断モジュールの判断結果が否定である場合、ＵＥがＳＲ送信に用いられる上り制御チャンネルリソースを割り当てられて、現在のＴＴＩにＳＲ送信に用いられる上り制御チャンネルリソースがあるこをと確定することに用いられる。
【０１０８】
ＳＲ送信モジュール９４は、現在のＴＴＩにＳＲ送信に用いられる上り制御チャンネルリソースがある場合、ＳＲの最大送信回数に達しないことを確定し、上り制御チャンネルでＳＲを送信することに用いられる。
【０１０９】
上述したものは本発明の好適な実施例だけであるが、本発明の請求範囲に限定されるものではない。
【図１】
0005193369.tif 000002
【図２】
0005193369.tif 000003
【図３】
0005193369.tif 000004
【図４】
0005193369.tif 000005
【図５】
0005193369.tif 000006
【図６】
0005193369.tif 000007
【図７】
0005193369.tif 000008
【図８】
0005193369.tif 000009
【図９】
0005193369.tif 000010
【図１０】
0005193369.tif 000011